(57)【要約】【課題】ホックが振動しても金属音がせず、ゲンコを保持するのに好適な弾性力を有する樹脂バネ及びその製造方法を提供する。【解決手段】雌雄結合構造のホックにおいて雄ホックのゲンコが挿入される雌ホックの開口内に設けられ、この開口内にゲンコを保持するための環状の樹脂バネ１０であって、その内周面１１には内側（内周面１１が形成する円の中心Ｏに対する求心方向）に突出した複数の突出部１２を等間隔をあけて形成し、突出部１２の間を外側（内周面１１が形成する円の中心Ｏに対する放射方向）に膨らむように湾曲形成し、突出部１２の背後に肉厚部１３を形成した。【選択図】図２
2011036498.tif 000002
【特許請求の範囲】
【請求項１】
雄ホックのゲンコが挿入される雌ホックの開口内に設けられ該開口内に前記ゲンコを保持するための環状の樹脂バネであって、その内周面には内側に突出した複数の突出部が等間隔をあけて形成され、前記突出部の間が外側に膨らむように湾曲形成され、前記突出部の背後に肉厚部が形成されたことを特徴とする樹脂バネ。
【請求項２】
前記内周面には八つの前記突出部が形成されたことを特徴とする請求項１記載の樹脂バネ。
【請求項３】
請求項１又は２記載の樹脂バネの製造方法において、
金型による成形完了後、該金型に設けられた複数のエジェクタピンがそれぞれ対応する前記肉厚部に当接して前記樹脂バネをその厚さ方向に押し出す工程を備えたことを特徴とする樹脂バネの製造方法。
【発明の詳細な説明】
【技術分野】
【０００１】
本発明は、雌雄結合構造のホックにおいて、雄ホックのゲンコが挿入される雌ホックの開口に設けられ、この開口内にゲンコを保持するための樹脂バネに係り、例えば自動車の車内のような振動が発生する場所にて使用するホック（雌ホック）に好適に組み込むことができる樹脂バネに関する。
【背景技術】
【０００２】
従来、雌雄結合構造のホックは、衣服、鞄、靴などの日常品における開閉部に広く用いられている。周知のとおりこのホックは、雄ホックのゲンコを雌ホックの開口に挿入することにより結合する。雌ホックの開口には挿入されたゲンコを開口内に保持するためにバネが設けられている。一般的なバネとしては、金属線材を折曲加工したバネ線が雌ホックの開口内に平行に並べられたもの（二本バネ式）や、開口の内周面に金属環が配置されたもの（リングバネ式）などがある。
【０００３】
また、雄ホックのゲンコは、嵌合部と、嵌合部よりも小径に形成されたクビレ部とからなる。雌雄のホックの結合時には、ゲンコは、その嵌合部が上述した二本の金属バネ線あるいは金属環を押し広げて開口に挿入され、開口に挿入されたゲンコは、そのクビレ部がもとの形状に復帰した二本の金属バネ線の間あるいは金属環の内周面にあることで嵌合部が開口内にて規制され、この開口内に保持される。
【０００４】
下記特許文献１には樹脂製の雌ホックが開示されている。この雌ホックは、雌雄結合時に雄ホックのゲンコを取り囲むその空所内に複数（三つ）の弾性片を備えている。三つの弾性片は略均等に配置され、その形状は、それぞれがゲンコを弾性保持するために内方に向けて突出した弓形の平面形状をなしている。また、弾性片には、内方へ突出した部分の略中央にゲンコの受け入れを容易にするために凹状部が形成されるとともに、横断面積を減少して弾性変形力を調整するための切欠き部が形成されている。
【先行技術文献】
【特許文献】
【０００５】
【特許文献１】特開２００９−２８１８２号公報
【発明の概要】
【発明が解決しようとする課題】
【０００６】
ところで、金属製のバネが組み込まれた従来のホックを、図６に示すように、例えば自動車の車内１００にて布製又は皮革製のグローブボックス１０１の取り付けなどの内装に使用した場合、走行中の自動車に発生する振動によりホックから金属音がするという問題があった。金属音は小音であるが、自動車の車内１００のような静かな場所では耳障りな雑音となる。このような問題は、図７（ａ），（ｂ）に示すように、雌ホック１０２の金属製のバネ（ここでは金属環）１０３の変形量が小さく、雄ホック１０４のゲンコ１０５が挿入されるときに押し広げられたときの形状ともとの形状がそれほど変わらないため、雌雄のホック１０２，１０４の結合状態において、ゲンコ１０４の嵌合部１０６よりも小径なクビレ部１０７と金属環１０３の内周面１０３ａの間に隙間があることによる。
【０００７】
また、上記特許文献１に開示されている樹脂製の雌ホックは、金属製のバネが組み込まれた従来のホックのように金属同士の衝突がないため金属音はしないものの、弾性片の形状の特異性からゲンコが挿入される穴が雌ホックの開口（空所）に比べて極端に小さくなる。そのため、例えばねじゲンコのような大きなゲンコとの結合には適しておらず、自動車の内装などに使用するには不向きなものであった。
【０００８】
そこで本発明は、上記問題点を解消するために、これを組み込んだホックを振動が発生する場所に使用しても金属音がせず、雌雄のホックを強力に結合させるために適した弾性力を有し、これにより、例えば自動車の内装品に使用するホックに好適に組み込むことができる樹脂バネ及びその製造方法を提供することを目的としている。
【課題を解決するための手段】
【０００９】
次に、上記の課題を解決するための手段を、実施の形態に対応する図面を参照して説明する。
本発明による請求項１記載の樹脂バネは、雄ホック４のゲンコ５が挿入される雌ホック２の開口３内に設けられ該開口３内に前記ゲンコ５を保持するための環状の樹脂バネ１０であって、その内周面１１には内側に突出した複数の突出部１２が等間隔をあけて形成され、前記突出部１２の間が外側に膨らむように湾曲形成され、前記突出部１２の背後に肉厚部１３が形成されたことを特徴としている。
【００１０】
請求項２記載の樹脂バネは、前記内周面１１には八つの前記突出部１２が形成されたことを特徴としている。
【００１１】
また、請求項３記載の樹脂バネの製造方法は、請求項１又は２記載の樹脂バネ１０の金型による成形完了後、該金型に設けられた複数のエジェクタピン２０がそれぞれ対応する前記肉厚部１３に当接して前記樹脂バネ１０をその厚さ方向Ｘに押し出す工程を備えたことを特徴としている。
【発明の効果】
【００１２】
本発明の請求項１記載の樹脂バネによれば、雌ホックに樹脂バネが組み込まれることによって振動時などに従来の金属製のバネを用いたときのような金属音がしなくなる。また、樹脂バネの内周面には内側に突出した複数の突出部が形成されており、これにより、ゲンコの挿入・脱出に適した弾性力を有することができる。したがって、この樹脂バネをホックに組み込んだ場合に強力な結合力を得ることができるようになる。さらに、雌雄結合時にゲンコは樹脂バネの内周面を拡径しながら開口に挿入されるが、このとき、樹脂バネが複数の突出部の間の湾曲形成された部分により全体的に外側に広がりやすくなっているため、ゲンコは簡単に挿入されるようになる。また、雌雄分離時においても同様にゲンコは開口から簡単に脱出されるようになる。さらに、突出部の背後に肉厚部が形成されたことにより樹脂バネの弾性力が増すとともに、樹脂バネの耐久性が向上する。
【００１３】
また、請求項２記載の樹脂バネによれば、樹脂バネが略均等に外側に拡径するようになり、樹脂バネはゲンコの挿入・脱出に更に好適な弾性力を有するようになる。
【００１４】
さらに、請求項３記載の樹脂バネの製造方法によれば、金型による成型完了後の樹脂バネを、この樹脂バネに形成された肉厚部にエジェクタピンが当接して押し出すことがことができるため、金型からの取り出しが容易となる。
【図面の簡単な説明】
【００１５】
【図１】本発明による樹脂バネの実施の形態が組み込まれた雌ホック及び雄ホックを示す斜視図である。
【図２】同実施の形態を示す平面図である。
【図３】同実施の形態を示す斜視図である。
【図４】（ａ），（ｂ）同実施の形態の雌雄のホックの結合時における動作を示す底面図である。
【図５】同実施の形態を金型から押し出すところを示す斜視図である。
【図６】同実施の形態が組み込まれた雌ホックが主に使用される場所を示す斜視図である。
【図７】（ａ），（ｂ）従来のホックにおける金属製のバネ（金属環）を示す断面図である。
【発明を実施するための形態】
【００１６】
以下、本発明の実施の形態を図面を参照して具体的に説明する。
図１に示すように、この実施の形態は、雌雄結合構造のホック１において、雄ホック４のゲンコ５が挿入される雌ホック２の開口３内に設けられ、この開口３内にゲンコ５を保持するための環状の樹脂バネ１０である。また、図６に示すように、ホック１は、例えば自動車の車内１００のような振動が発生する場所にて使用するものである。具体的には、車内１００における布製又は皮革製のグローブボックス１０１などの内装品に使用する。その他にも、車内１００の座席後方にあるトノボックスを覆うためのシートに取り付けるなど、車内１００全般の内装品に使用する。
【００１７】
図６では、雌ホック２はグローブボックス１０１に取り付けられ、雄ホック４は車内１００の内張りに取り付けられている。図１に示すように、雌ホック２は、キャップ部８と、ソケット部９とからなる。ソケット部９の底部には開口３が形成されており、開口３内には同軸上に樹脂バネ１０が組み込まれている。また、雄ホック４のゲンコ５にはねじゲンコが採用されている。ゲンコ５は、嵌合部６と、この嵌合部６よりも小径なクビレ部７とからなる。
【００１８】
図２，３に示すように、雌ホック２に組み込まれる樹脂バネ１０は、その内周面１１には内側（つまり、内周面１１が形成する円の中心Ｏに対する求心方向）に突出した複数の突出部１２が等間隔をあけて形成されている。なお、本発明の発明者の検証結果によれば、突出部１２の数は奇数よりも偶数の方が均等な弾性力が得られることがわかった。その中でも製造が容易であり、且つ略均等な弾性力が得られたのは八つのときであった。したがって、この実施の形態（樹脂バネ１０）にはその内周面１１に４５度の間隔をあけて八つの突出部１２が形成されている。なお、突出部１２が例えば四つや六つであっても、八つのものとほとんど遜色のない弾性力が得られる。
【００１９】
また、樹脂バネ１０は、八つの突出部１２の間がそれぞれ外側（つまり、内周面１１が形成する円の中心Ｏに対する放射方向）に膨らむように湾曲形成されている。さらに、各突出部１２の背後にあたる樹脂バネ１０の外周面には半円柱状の肉厚部１３が一体的に形成されている。肉厚部１３の数は突出部１２と同様に八つである。
【００２０】
また、突出部１２の内側先端部と、突出部１２の間の湾曲形成された部分の外側先端部とには、各端部になるほど樹脂バネ１０の厚さ方向Ｘに薄くなるようなテーパ面１４ａ，１４ｂが形成されている。
【００２１】
なお、この実施の形態（樹脂バネ１０）は、ＰＯＭ（ポリアセタール）を材料としている。また、この実施の形態では、最大外径は１３．０ｍｍ程度、最小内径は９．６５ｍｍ程度、厚さは１．８ｍｍ程度に形成されている。
【００２２】
ここで、図４を参照してこの実施の形態（樹脂バネ１０）が組み込まれた雌ホック２と雄ホック４の結合時における樹脂バネ１０の動作を説明する。なお、図４には樹脂バネ１０とゲンコ５のみを実線で示している。
【００２３】
図４（ａ）に示すのは、雄ホック４のゲンコ５が雌ホック２の開口３に挿入されるときにゲンコ５の嵌合部６が樹脂バネ１０の内周面１１を拡径している状態である。このとき、嵌合部６の側周面は樹脂バネ１０の八つの突出部１２に当接してこれらを押し広げるが、突出部１２の間の湾曲形成された部分を含めて樹脂バネ１０が全体的にソケット部９内にて外側（中心Ｏに対する放射方向）に略均等に拡径するようになる。
【００２４】
図４（ｂ）に示すのは、図４（ａ）の状態からゲンコ５が開口３の更に奥まで挿入された状態、すなわち、雌雄のホック２，４の結合状態である。このとき、それまでゲンコ５の嵌合部６に押し広げられていた樹脂バネ１０は、嵌合部６よりも小径なクビレ部７が位置することでもとの形状に復帰してその内周面１１は収径し、突出部１２はゲンコ５のクビレ部７の周りを僅かな隙間をあけて包囲し、嵌合部６（ゲンコ５）を開口３内にて規制するようになる。
【００２５】
ここから、この実施の形態（樹脂バネ１０）の製造方法について説明する。
樹脂バネ１０は、通常の樹脂成形品と同様に金型による射出成形によって製造されるが、金型には図５に示すようなエジェクタピン２０が設けられている。エジェクタピン２０は樹脂バネ１０の肉厚部１３に適合する略円柱形状に形成されている。また、エジェクタピン２０は、金型内に八本設けられるとともに、肉厚部１３と同様に４５度の間隔をあけて設けられ、さらに、金型内における樹脂バネ１０の厚さ方向Ｘに進退自在に設けられている。
【００２６】
したがって、この実施の形態（樹脂バネ１０）を製造するときには、まず、射出成形機のノズルから閉型された金型内に溶融樹脂を射出し、金型のキャビティに溶融樹脂を充填する工程を行う。次に、金型内に充填された溶融樹脂を冷却する工程を行う。この工程が終了した時点で樹脂バネ１０の成形は完了する。そして、樹脂バネ１０の成形完了後、金型を開型する工程を行い、次に、エジェクタピン２０を樹脂バネ１０の肉厚部１３に当接させて厚さ方向Ｘの先方へ進出させて樹脂バネ１０を金型のキャビティから押し出す工程を行う。この工程を行うことにより、金型から樹脂バネ１０を取り出すことができる。
【００２７】
上述した実施の形態によれば、雌ホック２に樹脂バネが組み込まれることによって振動時などに従来の金属製のバネを用いたときのような金属音がしなくなる。また、樹脂バネ１０の内周面１１には内側に突出した複数の突出部１２が形成されており、これにより、ゲンコ５の挿入・脱出に適した弾性力を有することができる。したがって、この樹脂バネ１０をホック１に組み込んだ場合に強力な結合力を得ることができるようになる。さらに、雌雄結合時にゲンコ５は樹脂バネ１０の内周面１１を拡径しながら開口３に挿入されるが、このとき、樹脂バネ１０が各突出部１２の間の湾曲形成された部分により全体的に外側に広がりやすくなっているため、ゲンコ５は簡単に挿入されるようになる。また、雌雄分離時においても同様にゲンコ５は開口３から簡単に脱出されるようになる。さらに、突出部１２の背後に肉厚部１３が形成されたことにより樹脂バネ１０の弾性力が増すとともに、樹脂バネ１０の耐久性が向上する。
【００２８】
また、樹脂バネ１０の内周面１１に八つの突出部１２が形成されたことによりこの樹脂バネ１０が略均等に外側に拡径するようになり、樹脂バネ１０はゲンコ５の挿入・脱出に更に好適な弾性力を有するようになる。
【００２９】
さらに、突出部１２の内側先端部と、突出部１２の間の湾曲形成された部分の外側先端部とにテーパ面１４ａ，１４ｂが形成されたことにより、樹脂バネ１０はゲンコ５の挿脱に適度なねばりを有するようになる。
【００３０】
また、金型による成型完了後の樹脂バネ１０を、この樹脂バネ１０に形成された肉厚部１３にエジェクタピン２０が当接して押し出すことがことができるため、金型からの取り出しが容易となる。
【符号の説明】
【００３１】
１…ホック
２…雌ホック
３…開口
４…雄ホック
５…ゲンコ
６…嵌合部
７…クビレ部
８…キャップ部
９…ソケット部
１０…樹脂バネ
１１…内周面
１２…突出部
１３…肉厚部
１４ａ，１４ｂ…テーパ面
２０…エジェクタピン
Ｘ…厚さ方向
【図１】
2011036498.tif 000003
【図２】
2011036498.tif 000004
【図３】
2011036498.tif 000005
【図４】
2011036498.tif 000006
【図５】
2011036498.tif 000007
【図６】
2011036498.tif 000008
【図７】
2011036498.tif 000009